(57)【特許請求の範囲】
【請求項１】
複数のＬＥＤが配置されたＬＥＤアレイと、
画像データを保存するメモリを有し、前記画像データの画像補正を行う画像補正部と、
前記画像補正が行われた画像データが入力される入力バッファ及び前記入力バッファに入力された画像データを前記ＬＥＤアレイに出力する出力バッファを有し、前記ＬＥＤアレイの発光を制御するＬＥＤアレイ発光制御部と、
前記画像補正部のメモリ及び前記入力バッファの空き領域を監視し、前記画像補正部のメモリから前記入力バッファへ前記画像補正が行われた画像データの転送を行うバッファ制御部と、を備え、
前記バッファ制御部は、前記ＬＥＤアレイ発光制御部において前記出力バッファから前記ＬＥＤアレイへの前記画像データの出力周期が変更され、前記入力バッファに空き領域が無くなった場合に、前記画像補正部のメモリの空き領域に前記画像補正が行われた画像データを一時保存し、前記入力バッファに空き領域ができたときに、前記画像補正部のメモリに一時保存した画像データを前記入力バッファに転送する
ことを特徴とする光走査装置。
【請求項２】
前記画像補正部が、画像の斜め歪みを矯正するスキュー補正処理を行うことを特徴とする請求項１に記載の光走査装置。
【請求項３】
前記画像補正部が、画像のエッジ部を滑らかにするジャギー補正処理を行うことを特徴とする請求項１又は２に記載の光走査装置。
【請求項４】
前記画像データを前記ＬＥＤアレイの動作周波数に変換する処理を行う周波数変換部を有することを特徴とする請求項１から３のいずれか一項に記載の光走査装置。
【請求項５】
請求項１から４のいずれか一項に記載の光走査装置を有することを特徴とする画像形成装置。
【請求項６】
複数のＬＥＤが配置されたＬＥＤアレイと、
画像データを保存するメモリを有し、前記画像データの画像補正を行う画像補正部と、
前記画像補正が行われた画像データが入力される入力バッファ及び前記入力バッファに入力された画像データを前記ＬＥＤアレイに出力する出力バッファを有し、前記ＬＥＤアレイの発光を制御するＬＥＤアレイ発光制御部と、
を備える光走査装置におけるバッファ制御方法であって、
前記画像補正部のメモリ及び前記入力バッファの空き領域を監視する監視ステップと、
前記ＬＥＤアレイ発光制御部において前記出力バッファから前記ＬＥＤアレイへの前記画像データの出力周期が変更され、前記入力バッファに空き領域が無くなった場合に、前記画像補正部のメモリの空き領域に前記画像補正が行われた画像データを一時保存し、前記入力バッファに空き領域ができたときに、前記画像補正部のメモリに一時保存した画像データを前記入力バッファに転送する転送ステップと、を有する
ことを特徴とする光走査装置のバッファ制御方法。
【発明の詳細な説明】
【技術分野】
【０００１】
本発明はＬＥＤアレイを有する光走査装置に関し、特に、ＬＥＤアレイの副走査倍率補正を行う場合における画像データの保存及び転送を制御する技術に関する。
【背景技術】
【０００２】
プリンタ、複写機等の電子写真方式を用いた画像形成装置では、像担持体としての感光体ドラム表面にレーザー等による光書き込みにより静電潜像を形成し、当該静電潜像にトナーを付着させることによって画像の形成を行っている。
【０００３】
上記した画像形成装置において、例えば感光体ドラムが偏心していると、感光体ドラム表面の周速度が周期的に変動し、表面に形成される静電潜像の紙搬送方向（副走査方向）のライン間隔にずれが生じる場合があった。この様なライン間隔にずれが生じると、最終的に出力される画像に濃度むらや、意図しない伸び縮みといった不具合として表れることがある。
【０００４】
この様な場合に、ライン間隔のずれ量を検出し、光書き込みにより静電潜像を形成する際に、レーザー等の光書き込みにおける副走査方向の発光量を補正することによって上記した出力画像上の不具合が生じるのを防止する方法が提案されている。
【０００５】
特に書き込み方式に複数のＬＥＤが配置されたＬＥＤアレイを用いた場合には、発光周期を補正することで、上記した原因による不具合の発生を防止することができる。
【０００６】
例えば特許文献１では、第１方向に沿って配列された複数の発光部を備えた露光手段と、前記露光手段と像担持体を前記第１方向と交差する第２方向へ相対移動させる移動手段と、前記像担持体上に形成すべき画像を表す画像データに応じて前記露光手段の前記複数の発光部を周期的に発光させて前記像担持体上に前記画像を形成させると共に、前記像担持体上に形成される画像内の前記第２方向に沿った濃度及び倍率の少なくとも一方の周期的な変動が補正されるように、前記画像の形成中に前記複数の発光部の発光周期を変更する発光制御手段と、を含む画像形成装置が提案されている。
【０００７】
特許文献１に係る画像形成装置によれば、像担持体上に形成される画像内の第１方向と交差する第２方向に沿った濃度及び倍率の少なくとも一方の周期的な変動が補正されるように、発光部の発光周期を変更するので、画像内の副走査方向に沿った濃度及び倍率の少なくとも一方の周期的な変動を補正できる。
【発明の概要】
【発明が解決しようとする課題】
【０００８】
ＬＥＤアレイを発光させる際には画像データを一時的にバッファに格納するが、ＬＥＤアレイの発光周期を変えて副走査倍率の補正を行う場合には、格納しなければならない画像データの量が増加するため、バッファの容量を大きくする必要がある。
【０００９】
しかしながら、ＬＥＤアレイを高速に駆動させるために、バッファも画像データの処理等を行うＡＳＩＣ内に搭載する必要があり、バッファの容量を増加できる量は限られている。また、バッファの容量を増加させるためにはコストが上昇してしまう、という問題もある。
【００１０】
上記した特許文献１に係る画像形成装置においても、バッファの容量を十分に確保できないと、ＬＥＤアレイによって副走査倍率を補正できる量が少なくなるために満足な補正ができず、出力画像における不具合の発生を抑制することができない場合があった。
【００１１】
そこで、本発明では、コストを上昇させることなく、バッファ容量を十分に確保することによって、ＬＥＤアレイによる副走査倍率の補正確実に行うことができる光走査装置、画像形成装置及び光走査装置のバッファ制御方法を提供することを目的とする。
【課題を解決するための手段】
【００１２】
本発明は、上記課題に鑑み、複数のＬＥＤが配置されたＬＥＤアレイと、画像データを保存するメモリを有し、前記画像データの画像補正を行う画像補正部と、前記画像補正が行われた画像データが入力される入力バッファ及び前記入力バッファに入力された画像データを前記ＬＥＤアレイに出力する出力バッファを有し、前記ＬＥＤアレイの発光を制御するＬＥＤアレイ発光制御部と、前記画像補正部のメモリ及び前記入力バッファの空き領域を監視し、前記画像補正部のメモリから前記入力バッファへ前記画像補正が行われた画像データの転送を行うバッファ制御部と、を備え、前記バッファ制御部は、前記ＬＥＤアレイ発光制御部において前記出力バッファから前記ＬＥＤアレイへの前記画像データの出力周期が変更され、前記入力バッファに空き領域が無くなった場合に、前記画像補正部のメモリの空き領域に前記画像補正が行われた画像データを一時保存し、前記入力バッファに空き領域ができたときに、前記画像補正部のメモリに一時保存した画像データを前記入力バッファに転送することを特徴とする。
【発明の効果】
【００１３】
本発明によれば、ＬＥＤアレイの副走査倍率補正によりバッファに空き領域が無くなった場合でも、画像補正部が有するメモリの空き領域をバッファとして使用することにより、コストを上昇させることなく、十分な副走査倍率の補正を行うことができる。
【図面の簡単な説明】
【００１４】
【図１】実施形態に係る画像形成装置の概略を示す図
【図２】実施形態に係る画像形成装置の他の構成例を示す図
【図３】実施形態に係る光走査装置の概略を示す図
【図４】実施形態に係るＬＥＤアレイの副走査倍率補正処理を説明する図
【図５】実施形態に係るＬＥＤアレイ発光制御部における画像データ入出力の流れを説明する図
【図６】実施形態に係るバッファ制御部における画像データ転送処理例のフローチャート
【図７】実施形態に係るバッファ制御部における画像データの転送処理例を説明する図
【発明を実施するための形態】
【００１５】
以下、本発明の好適な実施の形態（以下「実施形態」という）について、図面を用いて詳細に説明する。
＜画像形成装置の概要について＞
図１に、本実施形態に係る画像形成装置の概略図を示す。
【００１６】
本実施形態に係る画像形成装置１００は、無端状移動手段である紙搬送ベルト５に沿って各色の画像形成部６が並べられた構成を備え、所謂タンデムタイプといわれるものである。給紙トレイ１から給紙ローラ２と分離ローラ３とによって分離給紙される用紙（記録紙）４を搬送する搬送ベルト５の搬送方向上流側から順に、複数の画像形成部（電子写真プロセス部）６Ｙ，６Ｃ，６Ｍ，６Ｂｋが配設されている。画像形成部６Ｙはイエロー、画像形成部６Ｃはシアン、画像形成部６Ｍはマゼンタ、画像形成部６Ｂｋはブラックのトナー画像をそれぞれ形成する。
【００１７】
これら複数の画像形成部６Ｙ，６Ｃ，６Ｍ，６Ｂｋは、形成するトナー画像の色が異なるだけで、内部構成は共通している。従って、以下の説明では画像形成部６Ｂｋを用いて具体的に説明するが、他の画像形成部６Ｙ，６Ｃ，６Ｍの各構成要素については、画像形成部６Ｂｋの各構成要素に付したＢｋに代えて、Ｙ，Ｃ，Ｍによって区別した符号を図に表示するにとどめ、説明を省略する。
【００１８】
まず、搬送ベルト５は、回転駆動される駆動ローラ７と従動ローラ８とに巻き回されたエンドレスベルトである。この駆動ローラ７は、不図示の駆動源により回転駆動され、駆動ローラ７と従動ローラ８とが、搬送ベルト５を駆動させる駆動手段として機能する。
【００１９】
画像形成装置１００が画像形成を行うに際しては、給紙トレイ１に収納された用紙４が上から順に送り出され、静電吸着作用により搬送ベルト５に吸着して搬送され、最初の画像形成部６Ｙの転写部に達すると、用紙４の上にイエローのトナー画像が転写される。その後、用紙４は搬送ベルト５に搬送されて各色の画像形成部６を通過する際に各色のトナー画像を重ねて転写されることで、用紙４の上にはフルカラーのトナー画像が形成される。
【００２０】
画像形成部６Ｂｋは、像担持体としての感光体ドラム９Ｂｋを備え、この感光体ドラム９Ｂｋの周囲には、帯電器１０Ｂｋ，ＬＥＤアレイ１１Ｂｋ、現像器１２Ｂｋ、感光体クリーナ１３Ｂｋ、不図示の除電器等が配置されている。
【００２１】
画像形成を行う場合には、帯電器１０Ｂｋが感光体ドラム９Ｂｋの表面を一様に帯電し、ＬＥＤアレイ１１Ｂｋが感光体ドラム９Ｂｋの表面をブラック画像に対応する形に露光することで、静電潜像を形成する。
【００２２】
次に現像器１２Ｂｋが形成された静電潜像にブラックトナーを付着させることで可視像化し、感光体ドラム９Ｂｋ上にブラックのトナー画像が形成される。続いて感光体ドラム９Ｂｋが回転駆動し、トナー画像が搬送ベルト５によって搬送される用紙４に接する転写位置にて、転写器１５Ｂｋにより用紙４の上に転写される。
【００２３】
トナー画像の転写が終了した感光体ドラム９Ｂｋは、外周面に残留した未転写トナーを感光体クリーナ１３Ｂｋにより除去され、次の画像形成のために待機する。
【００２４】
各画像形成部６を通過して用紙４の上に形成されたフルカラートナー像は、定着器１６を通過する際に熱と圧力を加えられることによって用紙４に定着され、画像形成装置１００の外部に排紙される。
【００２５】
フルカラー画像を形成する場合には搬送ベルト５が全ての画像形成部６に接触し、モノクロ画像を形成する場合には搬送ベルト５がブラックの画像形成部６Ｂｋのみと接触し、他の画像形成部６Ｙ，６Ｃ，６Ｍとは離間する様な離接機構を設けることもできる。離接機構を設けることにより、モノクロ画像形成時には他色の感光体ドラム９や搬送ベルト５の磨耗を防ぐことができる。
【００２６】
図２に、本実施形態に係る画像形成装置の他の構成例を示す。
【００２７】
図２に示す画像形成装置１００は、搬送ベルト５では無く、中間転写ベルト２３が設けられている。中間転写ベルト２３は、不図示の駆動装置によって回転駆動される駆動ローラ７と従動ローラ８とに巻き回されたエンドレスベルトである。
【００２８】
画像形成の際には、各色のトナー画像は中間転写ベルト２３の上に一次転写されて色重ねされる。中間転写ベルト２３に形成されたフルカラーのトナー画像は、搬送されて従動ローラ８と二次転写ローラ２２との間に形成される二次転写部において、搬送される用紙４の上に二次転写される。
【００２９】
用紙４に転写されたトナー画像は、定着器１６を通過する際に熱と圧力を加えられることで用紙４に定着し、画像形成装置１００の外部に排紙される。
【００３０】
本実施形態においては、用紙４を搬送する搬送ベルト５を使用し、画像形成部６の感光体ドラム９上に形成されたトナー画像を用紙４に直接転写する方式を用いたが、図２に示した様に中間転写ベルト２３を用いて構成しても良い。
【００３１】
また、本実施形態ではタンデムタイプを用いたが、これに限るものではなく、これ以外にも１つの感光体ドラム９の周囲に複数の現像器１２等を配設したリボルバータイプを用いても良い。
＜光走査装置の概要について＞
図３に、本実施形態に係る光走査装置１０１の概略を示す。
【００３２】
本実施形態に係る光走査装置１０１は、周波数変換部３２、バッファ制御部３３、画像補正部３４、ＬＥＤアレイ発光制御部３５及びＬＥＤアレイ１１を備えている。光走査装置１０１は、ＬＥＤアレイ１１を用いて帯電された感光体ドラム９表面に画像パターンに応じた露光を行い、静電潜像を形成することにより画像形成に供する。
【００３３】
ＬＥＤアレイ１１を駆動させて画像形成を行う際には、まず画像処理コントローラ３１から画像データが転送され、周波数変換部３２において画像データをＬＥＤアレイ１１の動作周波数に変換する周波数変換処理が行われる。
【００３４】
次に、周波数変換された画像データは、画像補正部３４に転送されて各種の画像補正が行われる。画像補正部３４は画像補正を行うためのモジュールを複数有して構成され、各画像補正モジュールは、補正作業用のメモリ５３を有している。
【００３５】
画像補正としては、例えばスキュー補正、ジャギー補正、階調補正が挙げられる。スキュー補正は、画像の斜め歪みを矯正するために行い、ジャギー補正は画像のエッジ部を滑らかにするために行うものである。また、階調補正は画像濃度に応じた画像パターンの形成を行う。これらの画像補正を行うことによって、高品質な画像を出力することが可能になる。これら以外の画像補正を行う様にさらに複数の画像補正モジュールを搭載して構成することもできる。
【００３６】
画像補正モジュールが有するメモリ５３としては、ＳＲＡＭ（Ｓｔａｔｉｃ  Ｒａｎｄｏｍ  Ａｃｃｅｓｓ  Ｍｅｍｏｒｙ）、又は、不揮発性メモリ等を用いることができる。ＳＲＡＭを用いる場合には消費電力を最小限に抑え、高速な情報の入出力が可能になる。不揮発性メモリを用いる場合には、電源ＯＦＦ時においても記憶を保持しておくことができるため、次回の電源投入時において再度画像調整等をする必要がなくなる点で有利である。
【００３７】
これらの画像補正処理は、非常に高速な動作が求められるため、ＡＳＩＣ内にまとめて搭載される。
【００３８】
画像補正モジュールが有するメモリ５３は、常に全領域が使用されている訳ではなく、印刷設定や、用紙の搬送状態等によって使用されていない空き領域を有している。
【００３９】
ＬＥＤアレイ発光制御部３５は、画像補正部３４にて補正処理された画像データを受け付ける入力バッファ５１と、ＬＥＤアレイ１１に画像データに基づいた信号を出力する出力バッファ５２とを有している。ＬＥＤアレイ発光制御部３５は、出力バッファ５２から信号を読み出してＬＥＤアレイ１１に送信し、ＬＥＤアレイ１１を発光させることができる。
【００４０】
バッファ制御部３３は、画像補正部３４の各画像補正モジュールが有するメモリ５３と、ＬＥＤアレイ発光制御部３５が有する入力バッファ５１とをバイパスし、それぞれの空き領域を監視することができる。また、ＬＥＤアレイ発光制御部３５の入力バッファ５１に空き領域が無い場合には、画像補正モジュールのメモリ５３の空き領域に画像データを一時保存し、入力バッファ５１に空き領域ができた時にメモリ５３に一時保存した画像データを入力バッファ５１の空き領域に転送することができる。
＜ＬＥＤアレイの副走査倍率補正について＞
画像形成装置１００では、感光体ドラム９が偏心していることにより表面の周速度が周期的に変動し、結果として出力される画像の副走査方向（紙搬送方向）に濃度変動が生じる場合がある。この様な濃度変動は、露光を行うＬＥＤアレイ１１の発光周期を感光体ドラム９の周速度の変動周期に対応する様に補正することで抑制することができる。この様にＬＥＤアレイ１１の発光周期を変えることによって副走査倍率の補正を行う。
【００４１】
図４に、本実施形態に係るＬＥＤアレイ１１の副走査倍率補正について説明する図を示す。
【００４２】
ＬＥＤアレイ１１は、ＬＥＤアレイ発光制御部３５からの発光信号によって発光が制御される。従って、ＬＥＤアレイ１１の副走査倍率補正は、ＬＥＤアレイ発光制御部３５において発光信号を変調することで実行される。
【００４３】
図４（ａ）は補正を行わない場合、（ｂ）は周期を大きくする場合、（ｃ）は周期を小さくする場合の、それぞれにおける発光信号のＯＮ，ＯＦＦ状態を示している。感光体ドラム９が一周する間にＬＥＤアレイ１１の発光を、連続的に変化させることで副走査倍率補正を行い、書き込み間隔のずれを解消することができる。
【００４４】
副走査倍率補正の補正量は、感光体ドラム９上に一定間隔で画像パターンを形成し、その画像を感光体ドラム又は搬送ベルト５に設けられたセンサによって間隔を検出し、周期的な変化量を算出することにより行う。
【００４５】
図５に、本実施形態に係るＬＥＤアレイ発光制御部３５における画像データの入出力の流れを示す。図５（ａ）は、ＬＥＤアレイ１１の副走査倍率補正を行わない場合で、（ｂ）が副走査倍率補正を行う場合である。
【００４６】
図５（ａ）の様に副走査倍率補正を行わない場合には、画像補正部３４から画像データ（Ｒ０〜Ｒ６）が一定の周期で入力バッファ５１に入力され、出力バッファ５２から入力と同じ一定の周期でＬＥＤアレイ１１に出力されるため、画像データが入力バッファ５１の容量を上回ることは無い。
【００４７】
しかし、図５（ｂ）の様に副走査倍率補正を行う場合には、一定の周期で画像データ（Ｒ０〜Ｒ６）が入力バッファ５１に入力されても、出力する周期を変えて（Ｒ１，Ｒ２の周期を大きく、Ｒ５，Ｒ６の周期を小さく）副走査倍率補正を行うため、入力バッファ５１の容量が一時的に不足し、画像データ（Ｒ３〜Ｒ６）が入力バッファ５１に入力できなくなっている。
【００４８】
この様に入力バッファ５１の容量が不足する場合には、図５（ｂ）に入力バッファ２，３の様に不足分を補うためのバッファが必要となる。また、副走査倍率を大きく補正する場合には、出力バッファ５２からのデータ出力周期を大きく変動させるため、さらに多くのバッファ容量が必要となる。
【００４９】
しかしながら、ＬＥＤアレイ制御部３５も複数の画像補正モジュールと同じ一つのＡＳＩＣ内に搭載されるため、バッファ容量に限りがあり、十分な量を確保することができない。また、バッファ容量を増やすためにはコストが上昇してしまうという問題もある。
【００５０】
そこで、本実施形態に係る光走査装置１０１では、入力バッファ５１の不足分を、画像補正モジュールのメモリ５３の空き領域で補うことにより、コストを上昇させることなくＬＥＤアレイ１１の副走査倍率補正を行う。
＜バッファ制御部における画像データの制御について＞
図６に、本実施形態に係るバッファ制御部３３における画像データ転送処理例のフローチャートを示す。
【００５１】
まず、ステップＳ１において画像処理コントローラ３１から画像データが入力される。次に、ステップＳ２にて周波数変換部３２で画像データの周波数変換処理が行われる。続いて、ステップＳ３にて画像補正部で画像補正処理が行われる。画像補正処理が施された画像データは、ＬＥＤアレイ発光制御部３５に送信され、画像データに基づいてＬＥＤアレイ１１が発光するように制御される。
【００５２】
画像データがＬＥＤアレイ発光制御部３５に送信される前に、ステップＳ４にてバッファ制御部３３がＬＥＤアレイ発光制御部３５の入力バッファ５１に空き領域があるか否かの確認を行う。
【００５３】
入力バッファ５１に空き領域がある場合には、ステップＳ５にて画像補正部の画像データがＬＥＤアレイ発光制御部３５の入力バッファ５１に転送される。入力バッファ５１に空き領域が無い場合には、ステップＳ６にてバッファ制御部３３が画像補正部３４のメモリ５３の空き領域に画像データを一時保存する。次に、ステップＳ７にてＬＥＤアレイ発光制御部３５の入力バッファ５１に空き領域ができたことが確認された時に、バッファ制御部３３が画像補正部３４のメモリ５３からＬＥＤアレイ発光制御部３５の入力バッファ５１に画像データを転送する。
【００５４】
ＬＥＤアレイ発光制御部３５の入力バッファ５１に画像データが入力された後は、ステップＳ８において副走査倍率補正がされた信号周期でＬＥＤアレイの発光を制御する。
【００５５】
次に図７を用いて、本実施形態に係るバッファ制御部３３の画像データの転送処理例を具体的に説明する。
【００５６】
上記したフローチャートに示した処理と同様に、まず画像処理コントローラ３１から画像データが入力され、周波数変換部３２において周波数の変換処理が行われた後、画像補正部３４にて画像補正処理が施される（図７（ａ））。
【００５７】
次に、バッファ制御部３３によって入力バッファ５１の空き領域の存在が確認された後に、画像補正処理が施された画像データはＬＥＤアレイ発光制御部３５の入力バッファ５１に入力される（図７（ｂ））。
【００５８】
画像補正部３４から画像データを入力バッファ５１に転送する際に、送信待ちデータの存在により入力バッファ５１に空き領域が無いことがバッファ制御部３３によって確認されると、画像補正部３４のメモリ５３の空き領域に画像データが一時的に保存される（図７（ｃ））。
【００５９】
その後、バッファ制御部３３がＬＥＤアレイ発光制御部３５の入力バッファ５１の空き領域ができたことを確認すると、画像補正部３４のメモリ５３に一時保存された送信待ち画像データを入力バッファ５１に転送する（図７（ｄ））。
【００６０】
ＬＥＤアレイ１１の副走査倍率補正を行う際に、バッファ制御部３３が上記した処理を行い、ＬＥＤアレイ発光制御部３５の入力バッファ５１の不足分を画像補正部３４のメモリ５３の空き領域で補うことができる。また、入力バッファ５１を十分に補うことができるため、ＬＥＤアレイ１１の発光周期を大きく変えることが可能になり、濃度変動等の出力画像の不具合の発生をより有効に防止することが可能になる。
＜まとめ＞
上記した様に、バッファ制御部３３は、ＬＥＤアレイ発光制御部３５の入力バッファ５１及び画像補正部３４のメモリ５３の空き領域を監視し、入力バッファ５１に空き領域が無い場合にはメモリ５３の空き領域に画像データを一時保存し、入力バッファ５１に空き領域ができた後に画像データを転送する処理を行う。
【００６１】
バッファ制御部３３が上記の処理を行うことにより、画像補正部３４のメモリ５３の空き領域を有効に活用し、ＬＥＤアレイ発光制御部３５のバッファ容量を増やすことでコストの上昇を招くことなく、ＬＥＤアレイ１１の副走査倍率補正を行うことができる。
【００６２】
さらに、十分な量の副走査倍率補正を行うことができるため、濃度変動や画像サイズの伸縮等の不具合画像の発生を抑制し、高品質な画像を提供することが可能になる。
【００６３】
なお、上記実施形態に挙げた構成等に、その他の要素との組み合わせなど、ここで示した構成に本発明が限定されるものではない。これらの点に関しては、本発明の主旨を逸脱しない範囲で変更することが可能であり、その応用形態に応じて適切に定めることができる。
【符号の説明】
【００６４】
１１    ＬＥＤアレイ
３２    周波数変換部
３３    バッファ制御部
３４    画像補正部
３５    ＬＥＤアレイ発光制御部
５１    入力バッファ
５２    出力バッファ
５３    メモリ
１００  画像形成装置
１０１  光走査装置
【先行技術文献】
【特許文献】
【００６５】
【特許文献１】特開２００７−１４４７３１号公報
【図１】
0005793951.tif 000002
【図２】
0005793951.tif 000003
【図３】
0005793951.tif 000004
【図４】
0005793951.tif 000005
【図５】
0005793951.tif 000006
【図６】
0005793951.tif 000007
【図７】
0005793951.tif 000008